(57)【要約】【課題】車載用ＡＶ装置のモニター部を車のバックボードの内外への挿入／排出と、バックボードの内から排出されたモニター部の回転について、単一の駆動源による駆動構成とするモニター内蔵シートを提供する。【解決手段】背凭れクッションの背面側のバックボード３０に表示モニター５０が収納されているモニター内蔵シートであって、表示モニター５０は、単一のモーターと、シャフトと、ピニオンギアとを有しており、バックボード３０は、上部位置に開口部が形成されており、表示モニター５０の収納位置と外部位置との間を直線的動作として移動させるラックと、外部位置での引出し位置と使用位置との間を回動動作として移動させるラックが、ピニオンギアが連続して噛合い移動できるように配置されて取り付けられており、ピニオンギアがモーター駆動源によって両ラック上を噛合い移動することを特徴とする。【選択図】図６
2009137400.tif 000002
【特許請求の範囲】
【請求項１】
背凭れクッションの背面側のバックボードに表示モニターが収納されているモニター内蔵シートであって、
前記バックボードは、前記表示モニターを収納できる大きさのパネル状部材で前記背凭れクッションの背面側に配設されていると共に、該パネル状部材の上部位置には前記表示モニターを前記パネル状部材から出没させることのできる開口部が形成されており、
前記表示モニターは、該パネル状部材に形成された開口部を通じて前記バックボード内に収納される収納位置とバックボード外の外部位置との間を直線的動作として移動可能に配設されていると共に、該表示モニターの外部位置状態では前記直線的動作で外部に引き出された引出し位置と表示モニターのモニター面を視聴良好な角度位置状態とする使用位置との間を回動動作として移動可能に配設されており、
前記表示モニターの収納位置と外部位置との間を直線的動作として移動させる移動手段と、外部位置での引出し位置と使用位置との間を回動動作として移動させる移動手段は単一のモーター駆動源で該両手段を連続して移動動作させる駆動構成として前記バックボード内に装備されていることを特徴とするモニター内蔵シート。
【請求項２】
請求項１に記載のモニター内蔵シートであって、
前記表示モニターを直線的動作として移動させる移動手段及び回動動作として移動させる移動手段は、前記モーター駆動源により回転駆動されるピニオンギアと、該ピニオンギアに噛合う直線的移動用のラック及び回動動作移動用のラックとにより構成されており、
該直線的動作移動用のラックと回動動作移動用のラックは前記ピニオンギアが連続して噛合い移動できるように配置されており、
該両ラックとピニオンギアの一方が表示モニター側に取り付けられ、他方がバックボード側に取り付けられることを特徴とするモニター内蔵シート。
【請求項３】
請求項２に記載のモニター内蔵シートであって、
前記表示モニターとバックボードとの間には、前記表示モニターの直線的動作移動時において前記引出し位置に制止させるストッパー手段を備えており、
前記回動動作移動用のラックは、前記ストッパー手段位置から、前記ピニオンギアと回動動作移動用のラックとの噛合い位置までの距離に対応させた半径による円弧形状で形成されており、
前記ストッパー手段を中心として前記モーターのピニオンギアが回動動作移動用のラック上を移動することによりに回動動作させることを特徴とするモニター内蔵シート。
【請求項４】
請求項１から請求項３のいずれかに記載のモニター内蔵シートであって、
モニター部の端面のうち、前記バックボードの開口部を進退動作する側の端面は、モニター部を収納位置に収納させたとき、バックボードの外面に対して略面一となるように設定されていることを特徴とするモニター内蔵シート。
【発明の詳細な説明】
【技術分野】
【０００１】
本発明は、モニター内蔵シートに関する。詳細には、背凭れクッションの背面側のバックボードに表示モニターが収納されている車両用シートに関する。
【背景技術】
【０００２】
従来より、自動車等の車両において液晶テレビ、カーナビゲーション装置等の車載用ＡＶ装置を搭載するものの中には、例えば特許文献１のように、自動車等の車両のダッシュボードに組み込まれる液晶テレビ、カーナビゲーション装置等の車載用ＡＶ装置に関するものがある。これは、車載用ＡＶ装置のモニター部が車のダッシュボードの内外に挿入／排出自在に配置されるとともに、該ダッシュボードの内から排出されたモニター部が回転自在に配置されるており、モニター部の挿入／排出や回転の駆動源として、減速機付きモーターユニットを用いた発明が開示されている。
なお、特許文献１においては、運転席前面のダッシュボードに配する場合を示しているが、この車載用ＡＶ装置が配する場所は、運転席前面のダッシュボードに限定されるものではなく、車両内の様々な部位に適用が可能であり、車両用シートにおいて背凭れクッションの背面側のバックボードに配することも可能である。
【特許文献１】特開２００１−３４７８９３号公報
【発明の開示】
【発明が解決しようとする課題】
【０００３】
しかしながら、特許文献１に記載した従来技術では、モニター部を車のダッシュボードの内外に挿入／排出させる駆動源としてのモーターユニットと、ダッシュボードの内から排出されたモニター部を回転させる駆動源としてのモーターユニットを別々に装備している。
ここで、モーターユニットは、モーターと、モーターの駆動源を伝達するピニオンギア等から構成されており、モーターは製品に占めるコストの割合が高く、またピニオンギアにおいても複数必要となることからコスト高に繋がる。
すなわち、モーターユニットを二つ使用することは製品のコストに直結する重要な課題である。また、限られたスペース内において二つのモーターユニットを装備しなければならないというスペース上の課題もある。
本発明者は、かかる問題について鋭意検討の結果、背凭れクッションの背面側のバックボードに表示モニターが収納されているモニター内蔵シートに適用するにあたって、モニター部を車のバックボードの内外への挿入／排出と、バックボードの内から排出されたモニター部の回転について、単一の駆動源による構成にすることに着目したものである。
【０００４】
而して、本発明は、このような点に鑑みて創案されたものであり、本発明が解決しようとする課題は、モニター部をシートのバックボードの内外への挿入／排出と、バックボードの内から排出されたモニター部の回転について、単一の駆動源による駆動構成とするモニター内蔵シートを提供することにある。
【課題を解決するための手段】
【０００５】
上記した課題を達成するために、本発明に係るモニター内蔵シートは、次の手段をとる。
本発明の第１の発明は、背凭れクッションの背面側のバックボードに表示モニターが収納されているモニター内蔵シートであって、前記バックボードは、前記表示モニターを収納できる大きさのパネル状部材で前記背凭れクッションの背面側に配設されていると共に、該パネル状部材の上部位置には前記表示モニターを前記パネル状部材から出没させることのできる開口部が形成されており、前記表示モニターは、該パネル状部材に形成された開口部を通じて前記バックボード内に収納される収納位置とバックボード外の外部位置との間を直線的動作として移動可能に配設されていると共に、該表示モニターの外部位置状態では前記直線的動作で外部に引き出された引出し位置と表示モニターのモニター面を視聴良好な角度位置状態とする使用位置との間を回動動作として移動可能に配設されており、前記表示モニターの収納位置と外部位置との間を直線的動作として移動させる移動手段と、外部位置での引出し位置と使用位置との間を回動動作として移動させる移動手段は単一のモーター駆動源で該両手段を連続して移動動作させる駆動構成として前記バックボード内に装備されていることを特徴とする。
【０００６】
この第１の発明によれば、前記表示モニターの収納位置と外部位置との間を直線的動作として移動させる移動手段と、外部位置での引出し位置と使用位置との間を回動動作として移動させる移動手段は単一のモーター駆動源とされている。よって、従来よりもモーターの構成を１つ減らすことができ、これに伴って動力伝達系の構成も減らすことが可能となり、コストダウンを図ることができる。
【０００７】
本発明の第２の発明は、前記表示モニターを直線的動作として移動させる移動手段及び回動動作として移動させる移動手段は、前記モーター駆動源により回転駆動されるピニオンギアと、該ピニオンギアに噛合う直線的動作移動用のラック及び回動動作移動用のラックとにより構成されており、該直線的動作移動用のラックと回動動作移動用のラックは前記ピニオンギアが連続して噛合い移動できるように配置されており、該両ラックとピニオンギアの一方が表示モニター側に取り付けられ、他方がバックボード側に取り付けられることを特徴とする。
【０００８】
この第２の発明によれば、直線的動作移動用のラックと回動動作移動用のラックはピニオンギアが連続して噛合い移動できるように配置されていることから、表示モニターが収納位置から使用位置までスムーズな連続動作が可能である。
【０００９】
本発明の第３の発明は、前記表示モニターとバックボードとの間には、前記表示モニターの直線的動作移動時において前記引出し位置に制止させるストッパー手段を備えており、前記回動動作移動用のラックは、前記ストッパー手段位置から、前記ピニオンギアと回動動作移動用のラックとの噛合い位置までの距離に対応させた半径による円弧形状で形成されており、前記ストッパー手段を中心として前記モーターのピニオンギアが回動動作移動用のラック上を移動することによりに回動動作させることを特徴とする。
【００１０】
この第３の発明によれば、回動動作移動用のラックは、ストッパー手段位置から、前記ピニオンギアと回動動作移動用のラックとの噛合い位置までの距離に対応させた半径による円弧形状で形成されているため、ピニオンギアとラックの噛み合い状態が脱落しにくい状態を維持したままの回動動作が可能とされているため信頼性の高いモニター内蔵シートを提供することができる。
また、ストッパー手段、表示モニターの直線的動作移動時において引出し位置に制止させる働きと、表示モニターの回動動作時においては回転軸の働きを兼ねており、モニター内蔵シートの構成を簡素にすることができる。
【００１１】
本発明の第４の発明は、モニター部の端面のうち、前記バックボードの開口部を進退動作する側の端面は、モニター部を収納位置に収納させたとき、バックボードの外面に対して略面一となるように設定されていることを特徴とする。
【００１２】
この第４の発明によれば、バックボードの開口部は、表示モニターが回動動作時にバックボードと干渉しないように、表示モニターの回動方向に対し、回動動作を許容するだけの大きさの開口部が設けられている。
この開口部に対して、モニター部の上端面は、モニター部を収納位置に収納させたとき、バックボードの外面に対して略面一となるように設定されているので、バックボードの意匠性を向上させることができる。また、これにより、異物、埃等の進入を防ぐこともできる。
【発明の効果】
【００１３】
本発明は上記各発明の手段をとることにより次の効果を得ることができる。
先ず、上記第１の発明のモニター内蔵シートによれば、従来のモーターユニットの構成に比べコストダウンを図ることのできるモニター内蔵シートを得ることができる。
次に、上記第２の発明のモニター内蔵シートによれば、表示モニターが収納位置から使用位置までスムーズな連続動作が更に向上する。
次に、上記第３の発明のモニター内蔵シートによれば、信頼性が更に向上する。
次に、上記第４の発明のモニター内蔵シートによれば、バックボードの意匠性が更に向上すると共に、異物、埃等の進入を防ぐことができる。
【発明を実施するための最良の形態】
【００１４】
以下に本発明を実施するための最良の形態を図面を用いて説明する。
図１は、本実施例に係るモニター内蔵シートを車両後方から見た全体斜視図である。図２は、図１のII−II線断面図である。図３は、図１のIII−III線断面図である。図４は、図１のバックボードの一部を切り欠いた状態を示す主要拡大図である。図５は、表示モニターの状態を示す図１に対応させた全体斜視図である。図６は、表示モニターの状態を示す図１に対応させた全体斜視図である。
【００１５】
まず、本発明の実施例に係るモニター内蔵シート１０を説明する。図１に図示されるように、モニター内蔵シート１０は、概略、乗員の着座部となるシートクッション１２と、乗員の背凭れ部となりシートクッション１２に対して傾動可能なシートバック１６と、このシートバック１６の頂部に組み付けられて乗員の後頭部を支承するヘッドレスト１４とから主として構成されている。なお、このモニター内蔵シート１０は、前部座席シート（例えば、運転席、助手席等）であり、その後方位置には、後述する表示モニター５０を使用（視聴）する使用者が着座する後部座席シート（図示しない）が存在している。
【００１６】
次に、シートバック１６について説明する。図２、３に図示されるように、シートバック１６は、左右１対のサイドフレーム１８と、この両サイドフレーム１８に包着状に取り付けられる背凭れクッション２０と、この背凭れクッション２０の表層部を覆うシートカバー２２とから主として構成されている。
【００１７】
この背凭れクッション２０には、図示しないボルトによって、その背面側に形成された凹部２０ａを覆うためのバックボード３０が組み付けられている。このバックボード３０は、略パネル状に形成されており、表示モニター５０を収納できる大きさのパネル状部材で前記背凭れクッション２０の背面側に配設されている。このバックボード３０は、例えば、剛性を有する合成樹脂によって一体的に成形されたものである。このバックボード３０によって、シートバック１６の背面側の凹部２０ａを見栄え良く覆うことができる。
【００１８】
図１に図示されるように、バックボード３０のパネル面のうち、その上部位置には、車幅方向に横長となる開口部３２が形成されている。この開口部３２はバックボード３０の内面側と、その外面側とが挿通可能となっている。これにより、後述するモニター部５２がバックボード３０内部の収納位置と、バックボード外の外部位置との間で直線的動作可能となっている。
【００１９】
図４に図示されるように、背凭れクッション２０の背面側のバックボード３０に収納可能な表示モニター５０について説明する。この表示モニター５０は、モニター面５４を有するモニター部５２と、このモニター部５２を支持する架台部５６とから構成されている。架台部５６はケース状の箱部材から構成されており、バックボード３０の内面に対して、その上下方向に直線的動作可能に組み付けられている。この直線的動作可能な構造について説明すると、架台部５６のケース内部には、駆動源としてのモーター５８とモーター５８に接続されたギアボックス６０が組み付けられている。このギアボックス６０は減速機構を備えたものであり、モーター５８の駆動力はギアボックス６０を介してシャフト６２に伝達される。このシャフト６２は、架台部５６のケース状の箱部材から突出しており、このシャフト６２の両端には、左右１対のピニオンギア６４がそれぞれ組み付けられている。そして、そのピニオンギア６４の上方位置には、表示モニター５０の直線的動作移動時において、表示モニター５０のモニター部５２をバックボード外の引出し位置に制止させるストッパー６６が備えられている。
【００２０】
一方、バックボード３０の内面側には、架台部５６に備えられた両ピニオンギア６４と噛み合い可能な左右一対の直線的動作移動用ラック３４が上下方向に直線形状をなして形成されている。詳細には、直線的動作移動用ラック３４は、表示モニター５０のモニター部５２がバックボード３０内部の収納位置から、開口部３２を通じて、バックボード３０外の外部位置までの間を直線的動作可能に配設されている。また、バックボード３０の内面には、架台部５６を案内する左右１対のガイド３８が上下方向であって、かつ、直線的動作移動用ラック３４と平行して組み付けられている。そして、両直線的動作移動用ラック３４と両ガイド３８によって架台部５６の両側は挟み込まれた格好となる。これにより、架台部５６の両ピニオンギア６４とバックボード３０の両直線的動作移動用ラック３４の噛み合い状態が脱落することがない。
【００２１】
また、バックボード３０に形成された開口部３２の内面側近傍には、回動動作移動用ラック３６が円弧形状をなして形成されて、直線的動作移動用ラック３４の上端部の後方側に屈曲して配置されている。詳細には、回動動作移動用ラック３６の一端が直線的動作移動用ラック３４の上端側と接続される。もう一方の他端は、左右の直線的動作移動用ラック３４の間隔を保ち、かつ、車両後方側に屈曲して配置されている。これにより、ピニオンギア６４が連続して噛合い移動することができる。
更に、バックボード３０に形成された開口部３２の内面側であり車幅方向の横長両端近傍にはストッパー受け部材４０が形成されている。これにより、表示モニター５０が直線的動作移動用ラック３４沿いに上方に直線的動作をして、表示モニター５０のモニター部５２が開口部３２を通じて、バックボード３０外の引出し位置まで移動したところで、架台部５６のストッパー６６とストッパー受け部材４０が係合して、直線的動作を制止する。そして、このストッパー６６とストッパー受け部材４０の係合位置を中心位置として、ピニオンギア６４が回動動作移動用ラック３６上を噛合い移動することによりに回動動作させることができる。
回動動作移動用ラック３６の形状は、ストッパー６６とストッパー受け部材４０の係合位置と、ピニオンギア６４と回動動作移動用ラック３６との噛合い位置までの距離に対応させた半径による円弧形状で形成されている。そのため、ピニオンギア６４が回動動作移動用ラック３６上を噛合い移動する際に噛み合い状態が脱落することがない。
【００２２】
そして、モーター５８を正転もしくは逆転に駆動させると、その駆動力がシャフト６２を介して両ピニオンギア６４へ伝達されることになる。これにより、表示モニター５０の架台部５６を直線的動作移動用ラック３４沿いの上下に直線的動作させることができる。また、このように直線的動作させることで、表示モニター５０のモニター部５２もバックボード内に収納される収納位置とバックボード外の外部位置との間で直線的動作させることができる。
更に、架台部５６のストッパー６６とストッパー受け部材４０が係合して、直線的動作を制止されると、ストッパー６６とストッパー受け部材４０の係合位置を中心位置として、ピニオンギア６４が回動動作移動用ラック３６上を噛合い移動することによりに回動動作し、表示モニター５０のモニター面５４を視聴良好な角度位置状態とする使用位置にすることができる。
【００２３】
ここで「収納位置」とは、モニター部５２がバックボード３０の内部（すなわち、背凭れクッション２０の凹部２０ａ）に収納されている位置である（図１に図示される位置）。
「外部位置」とは、モニター部５２が収納位置から開口部３２を通じて直線的動作によってバックボード３０の外部に突き出した位置で後述する引出し位置と使用位置との間を回動できる範囲を言う（図５、図６に図示される位置）。
「引出し位置」とは、モニター部５２が直線的動作でバックボード３０の外部に引き出される位置状態を言う。したがってこの「引出し位置」は前記「外部位置」の１つの位置状態である。（図５に図示される位置）。
「使用位置」とは、表示モニター５０のモニター面５４を視聴良好な角度位置状態とする位置であり、使用者がモニター面５４を視聴するときの位置である（図６に示される位置）。
【００２４】
なお、バックボード３０の開口部３２は、表示モニター５０が回動動作時にバックボード３０と干渉しないように、表示モニター５０の回動方向に対し、回動動作を許容するだけの大きさの開口部３２が設けられている。
この開口部３２に対して、モニター部５２の上端面６８には、モニター部５２を収納位置に収納させたとき、バックボード３０の外面に対して略面一となるように傾斜面が形成されているので、バックボード３０の意匠性を向上させることができる。また、これにより、異物、埃等の進入を防ぐことができる。
【００２５】
上記構成からなる本実施例におけるモーターの駆動による表示モニター５０の動作は次の通りである。
先ず、図１に図示されるように収納位置から、モーター５８が駆動されると、その駆動力はギアボックス６０を介してシャフト６２に伝達されピニオンギア６４が回転する。そうすると、図３に図示されるように、ピニオンギア６４の歯が直線的動作移動用ラック３４の歯と噛合い、表示モニター５０が直線的動作移動用ラック３４沿いに上方に直線的動作をする。そして、図５に図示されるように、表示モニター５０のモニター部５２が開口部３２を通じて、バックボード３０外の引出し位置まで移動したところで、架台部５６のストッパー６６とストッパー受け部材４０が係合して、直線的動作を制止する。そして、図６に図示されるように、このストッパー６６とストッパー受け部材４０の係合位置を中心位置として、ピニオンギア６４が回動動作移動用ラック３６上を噛合い移動することによりに回動動作させる。こうして、表示モニター５０のモニター面５４を視聴良好な角度位置状態とする使用位置にすることができる。
なお、上記説明におけるモーター５８を逆転に駆動させると、表示モニター５０は、上記説明の逆の順を追って使用位置から収納位置まで移動させることができる。
【００２６】
本発明の実施例に係る車両用シートは上述したように構成されている。この構成によれば、表示モニター５０の直線的動作移動と回動動作移動を単一のモーター５８によって達成しているため、従来よりもモーターの構成を１つ減らすことができ、これに伴って動力伝達系の構成も減らすことが可能となりコストダウンを図ることができる。
また、直線的動作移動用ラック３４及び回動動作移動用ラック３６はピニオンギアが連続して噛合い移動できるように配置されていることから、使用者は収納位置にある表示モニター５０を使用位置へとスムーズに移行させることができる。
回動動作移動用ラック３６の形状は、ストッパー６６とストッパー受け部材４０の係合位置と、ピニオンギア６４と回動動作移動用ラック３６との噛合い位置までの距離に対応させた半径による円弧形状で形成されている。そのため、ピニオンギア６４が回動動作移動用ラック３６上を噛合い移動する際に噛み合い状態が脱落することがなく信頼性の高いモニター内蔵シート１０を提供することができる。
バックボード３０の開口部３２は、表示モニター５０が回動動作時にバックボード３０と干渉しないように、表示モニター５０の回動方向に対し、回動動作を許容するだけの大きさの開口部３２が設けられている。
この開口部３２に対して、モニター部５２の上端面６８には、モニター部５２を収納位置に収納させたとき、バックボード３０の外面に対して略面一となるように傾斜面が形成されているので、バックボード３０の意匠性を向上させることができる。また、これにより、異物、埃等の進入を防ぐことができる。
【００２７】
また、本実施例によれば、架台部５６、および架台部５６を直線的動作及び回動動作させる機構はバックボード３０の内面側に組み付けられている。そのため、例えば、架台部５６もしくはモニター部５２に修理を要する場合であっても、背凭れクッション２０からバックボード３０を取り外し、取り外したバックボード３０をそのまま修理店舗へ持っていくことができる。これにより、簡便に修理を行うことができる。
【００２８】
また、開口部３２はバックボード３０の上部位置に配置されていることから、表示モニター５０のモニター面５４を視聴良好な角度位置状態とする使用位置にする回動動作の軸を、シートバック１６の傾動する軸と平行とした場合には、シートバックを傾動した場合においても、傾動されたシートバック１６の位置に合わせて表示モニター５０のモニター面５４を視聴良好な角度位置状態にすることができる。
また回動動作について、回動角度の微調整機構を備えた場合には、表示モニター５０を視聴者の好みの角度に容易に調整することも可能である。
【００２９】
本発明のモニター内蔵シート１０は、本実施の形態で説明した外観、構成、処理、表示例等に限定されず、本発明の要旨を変更しない範囲で種々の変更、追加、削除が可能である。
例えば上記実施例では、左右一対の直線的動作移動用ラック３４及び回動動作移動用ラック３６とピニオンギア６４によって架台部５６をバックボード３０内において直線的動作移動及び回動動作移動させる構成を説明した。しかし、これに限定されるものでなく、左右一対ではなく、１つの直線的動作移動用ラック３４及び回動動作移動用ラック３６とピニオンギア６４によって架台部５６をバックボード３０内において直線的動作移動及び回動動作移動とすることもできる。
【００３０】
また、上記実施例では、モーター５８、ギアボックス６０、シャフト６２、ピニオンギア６４の構成が表示モニター５０の架台部５６に組み付けられ、直線的動作移動用ラック３４及び回動動作移動用ラック３６がバックボードに組みつけられている構成を説明した。しかし、これに限定されるものでなく、モーター５８、ギアボックス６０、シャフト６２、ピニオンギア６４の構成がバックボードに組みつけられ、直線的動作移動用ラック３４及び回動動作移動用ラック３６が表示モニター５０の架台部５６に組み付けられる構成とすることもできる。
【００３１】
また、図２に図示されるように、直線的動作移動用ラック３４及び回動動作移動用ラック３６がピニオンギア６４と噛合う位置は、上方側に配置された構成を説明した。しかし、これに限定されるものではない。
図７に図示されるように、噛合う位置を下方側に配置させたものでも良い。係る場合のストッパー６６の配置位置は、実施例と同様にピニオンギア６４の上方、すなわち直線的動作移動の軌道上に配置されると、回動動作移動用ラック３６と干渉する。そのため、実施例の配置位置よりも車両前方側に配置し、ピニオンギア６４直線的動作移動の軌道上を平行するようにすることでストッパー手段の作用を達成できる。
【図面の簡単な説明】
【００３２】
【図１】本実施例に係るモニター内蔵シートを車両後方から見た全体斜視図である。
【図２】図１のII−II線断面図である。
【図３】図１のIII−III線断面図である。
【図４】図１のバックボードの一部を切り欠いた状態を示す主要拡大図である。
【図５】表示モニターの状態を示す図１に対応させた全体斜視図である。
【図６】表示モニターの状態を示す図１に対応させた全体斜視図である。
【図７】本実施例の変更例を図３に対応させて示す構成図である。
【符号の説明】
【００３３】
１０    モニター内蔵シート
１２    シートクッション
１４    ヘッドレスト
１６    シートバック
１８    サイドフレーム
２０    背凭れクッション
２０ａ  凹部
２２    シートカバー
３０    バックボード
３２    開口部
３４    直線的動作移動用ラック
３６    回動動作移動用ラック
３８    ガイド
４０    ストッパー受け部材
５０    表示モニター
５２    モニター部
５４    モニター面
５６    架台部
５８    モーター
６０    ギアボックス
６２    シャフト
６４    ピニオンギア
６６    ストッパー
６８    上端面
【図１】
2009137400.tif 000003
【図２】
2009137400.tif 000004
【図３】
2009137400.tif 000005
【図４】
2009137400.tif 000006
【図５】
2009137400.tif 000007
【図６】
2009137400.tif 000008
【図７】
2009137400.tif 000009